(57)【要約】      （修正有）【課題】見栄えのよい作品が初心者でも容易に作成できる手芸用部品収納ボードを提供する。【解決手段】クイリングに使用する手芸用部品収納ボードであって、ほぼ同じサイズの円形凹部からなる部品収納部１０を複数個並べて列を形成し、かつ部品収納部のサイズを変えた列を、ボード本体１の横方向または縦方向に複数列形成すると共に、ボード本体の上面に、テープ状素材を所定長さに切断する際に使用するスケール６と、複数の同心円７ａと前記同心円を円周方向に分割する複数の分割線７ｂよりなるポイントループ目盛７と、手芸用工具で作成した部品を放射方向に配置する際使用する分度目盛８，９と、部品収納部のサイズを表示するサイズ表示１１の少なくとも１つを表示した。【選択図】図１
0003146970.tif 000002
【実用新案登録請求の範囲】
【請求項１】
軸状部の先端に巻き芯部が突設された手芸用工具の前記巻き芯部に、テープ状素材を巻き付けて手芸品を作成するクイリングに使用する手芸用部品収納ボードであって、ほぼ同じサイズの円形凹部からなる部品収納部を複数個並べて列を形成し、かつ前記部品収納部のサイズを変えた列をボード本体の横方向または縦方向に複数列形成すると共に、前記ボード本体の上面に、テープ状素材を所定長さに切断する際に使用するスケールと、複数の同心円と前記同心円を円周方向に分割する複数の分割線よりなるポイントループ目盛と、前記手芸用工具で作成した部品を放射方向に配置する際使用する分度目盛と、前記部品収納部のサイズを表示するサイズ表示の少なくとも１つを表示しとたことを特徴とする手芸用部品収納ボード。
【請求項２】
前記ボード本体を、表面層と中間層及び基板層の少なくとも３層構造とし、かつ前記中間層をコイル材により形成すると共に、前記表面層に前記部品収納部を形成してなる請求項１に記載の手芸用部品収納ボード。
【請求項３】
前記表面層の上面を、ラミネート層で被覆してなる請求項１または２に記載の手芸用部品収納ボード。
【考案の詳細な説明】
【技術分野】
【０００１】
本考案は、クイリングにより花等の手芸品を作成する際に使用する手芸用部品収納ボードに関する。
【背景技術】
【０００２】
紙等の材料により形成されたテープ状素材を棒状物に巻き付けて花等の手芸品を作成する手芸は、クイリングと呼ばれて近年多くの人が趣味として楽しんでいる。
また初心者でも簡単に花等の手芸品が作成できるように、クイリングに使用する手芸用工具も提案されている（例えば特許文献１）。
前記特許文献１に記載の手芸用工具は、細長い円柱状の本体部の一端に、先端部にテープ状素材（帯状紙）を挟むための割り溝が形成された棒状の巻き付け体が突設された構成で、円筒状もしくは円盤状の補助具を巻き付け体に取り付け、この補助具をガイドにして巻き付け体にテープ状素材を巻き付けることにより、渦状に巻き癖の付いた部品を作成し、作成した複数の部品を任意に組み合わせることにより、花や装飾品等の手芸品が製作できるようにしたもので、手芸用工具の先端を指先で持って固定した状態で本体部を回転させることができるので、安定した巻き付け作業を行うことができる上、補助具を使用することにより、特に初心者でも巻き付けているテープ状素材を平坦な状態に保持することができるので、使い勝手がよい等の効果を有している。
【特許文献１】特開２００４−１３１２８０（特許第３６７３８０１）号公報
【考案の開示】
【考案が解決しようとする課題】
【０００３】
しかし前記特許文献１に記載の手芸用工具により作成した部品により手芸品を製作しようとした場合、次のような問題がある。
手芸用工具を使用して花等の作品を製作する場合、手芸用工具の巻き芯部にテープ状素材を巻き付けて、サイズや色の異なる複数の部品を予め作成しておき、これら部品を、手芸をする人の創作力で任意に組み合わせて作品に仕上げた方が作業が早い上、作者のイメージ通りの作品が作りやすい。
しかし手芸用工具を使用してテープ状素材を渦巻き状に巻き任意なサイズの部品を作成した後、次の部品を作成するため、既に出来上がった部品を手芸用工具から取り外して机上等へ置いておくと、部品を形成しているテープ状素材にまだ十分に巻き癖が付いていないため、渦巻きが緩んで部品のサイズが不揃いとなり、作品に仕上げた場合、例えば花びらのサイズが不揃いになるなどして、作品の出来栄えが悪い等の問題がある。
このため従来では、予め作成した複数の部品を組み合わせて作品を製作する際、緩んだ渦巻きを手で巻き締めしてサイズを揃えながら、部品を組み合わせて花等の作品を製作しているが、この方法では作品を完成させるのに時間がかかる上、イメージ通りの作品ができにくい等の問題がある。
【０００４】
また緩んだ渦巻きを手で巻き締めする際、締付け具合により部品のサイズが微妙に変化するため、同じサイズに作ったはずの例えば花びらが不揃いになるなどして、特に多くの花びらを寄せ集めて花等の作品を製作した場合、苦労をした割には見栄えが悪い等の問題がある。
さらに花を製作する場合、花びらが花芯を中心に放射方向へ等間隔に配置されていることが見栄えのよい花を製作する上で重要となるが、従来では手芸をする人の感によって花びらを配置していたため、花びらの配置が不揃いとなる等の問題もある。
本考案はかかる問題を改善するためになされたもので、見栄えのよい作品が初心者でも容易に作成できる手芸用部品収納ボードを提供することを目的とするものである。
【課題を解決するための手段】
【０００５】
本考案の手芸用部品収納ボードは、軸状部の先端に巻き芯部が突設された手芸用工具の巻き芯部に、テープ状素材を巻き付けて手芸品を作成するクイリングに使用する手芸用部品収納ボードであって、ほぼ同じサイズの円形凹部からなる部品収納部を複数個並べて列を形成し、かつ部品収納部のサイズを変えた列を、ボード本体の横方向または縦方向に複数列形成すると共に、ボード本体の上面に、テープ状素材を所定長さに切断する際に使用するスケールと、複数の同心円と前記同心円を円周方向に分割する複数の分割線よりなるポイントループ目盛と、手芸用工具で作成した部品を放射方向に配置する際使用する分度目盛と、部品収納部のサイズを表示するサイズ表示の少なくとも１つを表示したものである。
【０００６】
前記構成により、手芸用工具の巻き芯軸から取り外したばかりの部品を部品収納部に収納することにより、テープ状素材の弾性により渦巻きが緩もうとするのを部品収納部の内周面が拘束し、他の部品を作成している間に、部品収納部に収納された部品の巻き癖を固定するため、作品を作成すべく部品収納部より部品を取出しても、部品の渦巻きが緩むことがないので、部品のサイズをほぼ一定に維持することができる。
これによって複数の部品を組み合わせて例えば花等の手芸品を製作した場合、完成した作品は花びらのサイズや葉のサイズが揃っているため見栄えのよい作品となり、初心者でも熟練者と同等の作品に仕上げることができる。
またボード本体上に表示されたスケールを使用してテープ状素材をカットすることにより、部品サイズに必要な長さのテープ状素材が容易かつ正確に得られると共に、花びらを例えば６等分や５等分した方向に配置したい場合は、ボード本体上に表示された分度目盛を使用することにより、花びらが円周方向に揃った見栄えのよい花が容易に作成できる。
さらにポイントループ目盛を使用することにより、花びら以外の例えば葉等の部品も容易に作成することできると共に、これら部品を作成する際、別にスケールや分度器等の道具を用意する必要がないため、手芸作品を製作する前の準備や、製作終了時の後片付け等の作業が短時間で容易に行える。
【０００７】
本考案の手芸用部品収納ボードは、ボード本体を、表面層と中間層及び基板層の少なくとも３層構造とし、かつ中間層をコイル材により形成すると共に、表面層に部品収納部を形成したものである。
【０００８】
前記構成により、ポイントループ目盛を使用して部品を製作する際、ボード本体上に刺したピンがコルク材よりなる中間層に保持されて、ピンにテープ状素材を巻き付けても、ピンが傾いたり、抜けたりしないため作業しやすい上、ピンの位置をポイントループ目盛に合わせて変えることにより、趣向に富んだ手芸用部品が初心者でも容易に作成することができる。
【０００９】
本考案の手芸用部品収納ボードは、表面層の上面を、ラミネート層で被覆したものである。
【００１０】
前記構成により、ボード本体の表面に手垢や汚れが付きにくい上、汚れた場合濡れた布等で簡単に拭き取ることができるため、常に綺麗な状態を維持することができる。
【考案の効果】
【００１１】
本考案の手芸用部品収納ボードは、テープ状素材の弾性により渦巻きが緩もうとするのを部品収納部の内周面が拘束して部品の巻き癖を固定するため、作品を製作する際部品の渦巻きが緩むことがないので、部品のサイズが揃った作品を初心者でも容易に製作することができる。
またボード本体上に表示されたスケールや分度目盛、ポイントループ目盛を使用することにより、別にスケールや分度器等の道具を用意する必要がないため、手芸作品を製作する前の準備や、製作終了時の後片付け等の作業が短時間で容易に行える。
【考案を実施するための最良の形態】
【００１２】
本考案の実施の形態を、図面を参照して詳述する。
図１は手芸用部品収納ボードの平面図、図２は図１のＡ−Ａ線に沿う拡大断面図、図３はテープ状素材を使用して手芸品の部品を作成している状態の説明図、図４は部品の斜視図、図５及び図６は出来上った手芸品の平面図、図７ないし図１０は作用説明図、図１１はポイントループ目盛を使用して作成した部品の平面図である。
手芸用部品収納ボードを構成するボード本体１は、図２に示すようにウレタン樹脂のような発泡樹脂よりなる厚手の基板層２と、基板層２の上面に形成されたコルク材よりなる中間層３と、中間層３の上面に形成されたポリスチレン等の樹脂シートからなる表面層４と、表面層４の表面を被覆するラミネート層５とからからなり、図１に示すように全体が長方形状の板状に形成されている。
【００１３】
ボード本体１の上面には、上辺に沿ってスケール６が、また右辺に寄った位置に、上下方向に離間してポイントループ目盛７と、分度目盛８，９がシルク印刷等の手段で表示されている。
スケール６は、テープ状素材１６を所望の長さで切断する際に使用するもので、例えば０ｍｍから２００ｍｍまでの目盛６ａが表示されている。
ポイントループ目盛７は、半径方向に例えば５ｍｍ間隔で描かれた複数の同心円７ａと、同心円７ａを例えば８分割する分割線７ｂとからなり、同心円７ａと分割線７ｂの交点には、ピン１８を刺す位置を示す黒点７ｃが表示されている。
分度目盛８，９は、上側が６等分の分度目盛８に、そして下側が５等分の分度目盛９となっていて、６等分の分度目盛８は、円８ａを分割線８ｂで６等分した表示となっており、５等分の分度目盛９は、円９ａを分割線９ｂで５等分した表示となっている。
【００１４】
一方ボード本体１の表面には、前記スケール６、ポイントループ目盛７、分度目盛８，９を表示した領域以外の領域に、多数の部品収納部１０が形成されている。
部品収納部１０は、手芸用工具１４で作成した部品１５を一時的に収納して、そのサイズを固定するもので、図１に示すように、直径が同一またはほぼ同じサイズの円形凹部が一直線上に等間隔で配列されて列が形成され、かつ直径を順次変えた円形凹部の列が上下方向に複数列形成されている。
最上段の部品収納部１０ａは、例えばφ１８の円形凹部が横方向に例えば７個横方向に等間隔で配列され、２段目の部品収納部１０ｂは、例えばφ１６の円形凹部が横方向に例えば８個横方向に等間隔で配列されている。
以下３段目から最終段の部品収納部１０ｎまで、例えばφ１４、φ１２、φ１０、φ９、φ８、φ７、φ６の順にサイズを変えて、複数の円形凹部が横方向に配列された構成となっている。
これら部品収納部１０は、ラミネート層５と表面層４が円形に繰り抜かれることにより形成されていて、ボード本体１の上面側にコルク材よりなる中間層３が露出するようになっている。
【００１５】
また各部品収納部１０には、部品収納部１０のサイズ毎にサイズ表示１１が、例えば列の左側に表示されている。
このサイズ表示１１は、作成する部品１５の直径を示すもので、例えば直径がφ１８の部品１５を作成する場合は、φ１８の部品１５を作成するのに適した長さのテープ状素材１６を手芸用工具１４を使用して渦巻き状に巻き、巻き終えたら手芸用工具１４より外してφ１８の部品収納部１０へ収納するようになっている。
これによって渦巻き状に巻かれた部品１５は、部品収納部１０の内周面により緩むのが拘束され、その状態で数分から数十分放置することにより巻き癖が固定されるので、部品収納部１０より取出しても部品１５の直径が変化することがないため、所望とするサイズの部品１５が容易に得られるようになる。
【００１６】
次に前記構成された手芸用部品収納ボードの使用方法を説明する。
作品として例えばひまわりの花を製作する場合、予め花びらのサイズに応じて複数の部品１５を作成する。
部品１５の作成に当っては、花びらに使用する色のテープ状素材１６を選択し、ボード本体１の上辺に沿って表示されたスケール６の上にテープ状素材１６を置き、テープ状素材１６を所定の長さに切断する。
なおテープ状素材１６の長さは、作成する部品１５のサイズに応じて既知となっているので、これに従うとよい。
テープ状素材１６を所定の長さに切断したら、テープ状素材１６の一端を手芸用工具１４の巻き芯軸１４ｂに形成された割り溝１４ｃに挿入し、この状態で図３に示すように軸状部１４ａを指で回転させて、テープ状素材１６を巻き芯軸１４ｂに巻きつける。
テープ状素材１６を全て巻き切ったら、周囲を指で押さえながら、テープ状素材１６を巻き芯軸１４ｂより取り外して、図４に示すようなテープ状素材１６が渦巻き状に巻かれた部品１５を作成し、これをボード本体１に上面に形成された部品収納部１０の所定のサイズが表示された列に収納する。
例えば直径が１２ｍｍの部品１５を作成した場合は、φ１２と表示された部品収納部１０に部品１５を収納する。
【００１７】
以下前記操作を必要な部品１５の個数だけ繰り返して、作品に必要な個数の部品１５を予め作成する。
同時に花芯や葉等を作成する場合は、テープ状素材１６の色や長さを変えて花芯や葉となる部品１５を必要個数作成し、ボード本体１の部品収納部１０に収納する。
手芸用工具１４の巻き芯軸１４ｂから取り外したばかりの部品１５は、テープ状素材１６の弾性により渦巻きが緩もうとするが、部品収納部１０へ部品１５を収納することにより、部品収納部１０の内周面が部品１５の渦巻きが緩もうとするのを拘束する。
また他の部品１５を作成している間に、部品収納部１０に収納された部品１５の巻き癖が固定されるため、作品を作成すべく部品収納部１０より部品１５を取出しても、部品１５の渦巻きが緩むことがないので、部品１５のサイズをほぼ一定に保持することができる。
【００１８】
５図に示すひまわりの花を作成するに当っては、まず花びらとなる部品１５を部品収納部１０から取り出し、テープ状素材１６の外周側端部を接着剤で固定する。
次に外周部の対向位置を指で摘んで折り癖を付けながら、部品１５を長円状に変形させる。
花びらとなる部品１５全体に同じ作業を繰返したら、花芯となる部品１５を作品用紙の所望の位置に接着剤で固定し、花芯となる部品１５の周囲に等間隔となるよう花びらとなる部品１５を接着してひまわりの花を完成させる。
なお花の見栄えをよくするために、花びらの位相を変えて花びらを２段に配置するようにしてもよい。
花が完成したら、葉を作成する。
葉は花びらより大きく作成した部品１５を部品収納部１０から取り出して、部品１５の外周部を１個所摘み、一方向へ引き伸す。
これによって図５に示すような葉が完成するので、これら葉を花の近傍に接着剤で固定して、図５に示すひまわりの花の作品を製作するもので、完成した作品は花びらのサイズや葉のサイズが揃っているため、見栄えのよい作品となり、初心者でも熟練者と同等の作品に仕上げることができる。
【００１９】
図６は別の作品例で、この作品に使用する部品１５の作成方法は前記図５の作品と同様なので、その説明は省略するが、花びらの形状については、部品１５の外周部の一部を摘んだ状態で、摘んだ側と反対の外周部を摘んだ部分方向へ押圧することにより簡単に作成できる。
また花を作成する際、花びらを円を６等分した方向へ配置したり、５等分した方向へ配置したい場合がある。
花びらを６等分した方向に配置したい場合は、図７に示すようにボード本体１の上面に表示された６等分の分度目盛８上に花びらとなる部品１５を配置して、各部品１５を接着剤で固定することにより花びらが、円周方向に６等分された花が容易に作成できる。
図６に示す作品のように、朝顔の花を作成する場合は、５等分分度目盛９使用することにより花びらが円周方向に５等分された花が容易に作成できる。
【００２０】
一方ポイントループ目盛７を使用して花びら以外の部品１５を作成する方法を図８ないし図１１を参照して説明する。
例えば図１１に示すような植物の葉の部分を作成する場合、まず図８に示すようにポイントループ目盛７の中心と、その上側の黒点７ｃにピン１８をほぼ垂直に刺す。
ボード本体１は表面層２がポリスチレンシートで、そして中間層３がコルク材で形成されているため、ピン１８が刺しやすく、また刺したピン１８は、中間層３により垂直状態に保持されるため、ピンにテープ状素材１６を巻き付けても、ピン１８が傾いたり抜けたりしないため作業が大変しやすい。
２本のピン１８を刺し終えたら、テープ状素材１６の一端側を、中心のピン１８から上側のピン１８に巻き付ける。
その後形状を大きくしたい方向の黒点７ｃにピン１８を刺してはテープ状素材１６を図９に示すように巻き付けて、図１１に示す部品１５の中央部分を作成する。
【００２１】
また中央部分から左右に分岐した葉を作成したい場合は、図１０に示すように斜め上方へ向かう分割線７ｂと同心円７ａの交点に表示された黒点７ｃにピン１８を刺して、その方向にもテープ素材１６を巻き付け、中央の大きな葉から左右に小さな葉が分岐した図１１に示すような部品１５を作成する。
部品１５が完成したら、すべてのピン１８をボード本体１から抜いて部品１５を取り出し、所望の形状となるよう指で押えて修正を加えることにより、幾何学模様の部品１５を作成することができる。
また図１１に示す形状の部品１５以外でも、ポイントループ目盛７の黒点７ｃに刺すピン１８の位置を変えることにより任意な形状の部品１５が簡単に作成でき、作者の創意工夫によりその形状は無限にある。
なお前記実施の形態では、ボード本体１の上面に、同じサイズの部品収納部１０の列を横方向に形成したが縦方向に形成してもよい。
この場合、サイズの異なる部品収納部１０の列は横方向に並ぶことになる。
【図面の簡単な説明】
【００２２】
【図１】本考案の実施の形態になる手芸用部品収納ボードの平面図である。
【図２】図１のＡ−Ａ線に沿う断面図である。
【図３】本考案の実施の形態になる手芸用部品収納ボードに収納する部品を作成している状態の斜視図である。
【図４】本考案の実施の形態になる手芸用部品収納ボードに収納する部品の斜視図である。
【図５】本考案の実施の形態になる手芸用部品収納ボードに収納した部品を取り出して製作した作品の例を示す平面図である。
【図６】本考案の実施の形態になる手芸用部品収納ボードに収納した部品を取り出して製作した作品の例を示す平面図である。
【図７】本考案の実施の形態になる手芸用部品収納ボードに表示された分度目盛を使用して部品を組み合わせている状態の説明図である。
【図８】本考案の実施の形態になる手芸用部品収納ボードに表示されたポイントループ目盛を使用して部品を作成している状態の説明図である。
【図９】本考案の実施の形態になる手芸用部品収納ボードに表示されたポイントループ目盛を使用して部品を作成している状態の説明図である。
【図１０】本考案の実施の形態になる手芸用部品収納ボードに表示されたポイントループ目盛を使用して部品を作成している状態の説明図である。
【図１１】本考案の実施の形態になる手芸用部品収納ボードに表示されたポイントループ目盛を使用して作成した部品の例を示す平面図である。
【符号の説明】
【００２３】
１    ボード本体
２    基板層
３    中間層
４    表面層
５    ラミネート層
６    スケール
７    ポイントループ目盛
７ａ    同心円
７ｂ    分割線
８    分度目盛
９    分度目盛
１０    部品収納部
１４    手芸用工具
１４ａ    軸状部
１４ｂ    巻き芯軸
１５    部品
１６    テープ状素材
１８    ピン
【図１】
0003146970.tif 000003
【図２】
0003146970.tif 000004
【図３】
0003146970.tif 000005
【図４】
0003146970.tif 000006
【図５】
0003146970.tif 000007
【図６】
0003146970.tif 000008
【図７】
0003146970.tif 000009
【図８】
0003146970.tif 000010
【図９】
0003146970.tif 000011
【図１０】
0003146970.tif 000012
【図１１】
0003146970.tif 000013
【手続補正書】
【提出日】平成20年9月30日(2008.9.30)
【手続補正１】
【補正対象書類名】実用新案登録請求の範囲
【補正対象項目名】全文
【補正方法】変更
【補正の内容】
【実用新案登録請求の範囲】
【請求項１】
軸状部の先端に巻き芯部が突設された手芸用工具の前記巻き芯部に、テープ状素材を巻き付けて手芸品を作成するクイリングに使用する手芸用部品収納ボードであって、ほぼ同じサイズの円形凹部からなる部品収納部を複数個並べて列を形成し、かつ前記部品収納部のサイズを変えた列をボード本体の横方向または縦方向に複数列形成すると共に、前記ボード本体の上面に、テープ状素材を所定長さに切断する際に使用するスケールと、複数の同心円と前記同心円を円周方向に分割する複数の分割線よりなるポイントループ目盛と、前記手芸用工具で作成した部品を放射方向に配置する際使用する分度目盛と、前記部品収納部のサイズを表示するサイズ表示の少なくとも１つを表示しとたことを特徴とする手芸用部品収納ボード。
【請求項２】
前記ボード本体を、表面層と中間層及び基板層の少なくとも３層構造とし、かつ前記中間層をコイル材により形成すると共に、前記表面層に前記部品収納部を形成してなる請求項１に記載の手芸用部品収納ボード。
【請求項３】
前記表面層の上面を、ラミネート層で被覆してなる請求項２に記載の手芸用部品収納ボード。